(57)【特許請求の範囲】
【請求項１】
商品収納ラックの商品搬出通路下端部に配設された商品搬出装置と対向して配置され、商品径に応じて前記商品搬出通路幅を規制する商品収納ラックの通路幅規制板において、
庫内温度を検知するセンサ手段を固定するセンサ固定部と、
自動販売機の本体ケース側に配設されたラック固定金に固定することにより前記商品収納ラックを当該本体ケースに固定するラック固定部と、
からなるセンサ／ラック固定金を備えたことを特徴とする商品収納ラックの通路幅規制板。
【発明の詳細な説明】
【０００１】
【発明の属する技術分野】
この発明は、商品収納ラックの通路幅規制板に関し、さらに詳しくは、商品収納ラックの奥行き寸法を小さくできるとともに、商品収納ラックを本体ケースに容易に固定できる商品収納ラックの通路幅規制板に関する。
【０００２】
【従来の技術】
周知のように、サーペンタイン式商品収納ラックの蛇行状商品通路の下端部には、販売指令に基づいて商品を搬出する商品搬出装置と、商品径に応じて通路幅を規制する通路幅規制板（以下、「出口アジャスタ」と記す）とが対向配置され、これらによって商品搬出通路が形成されている。この出口アジャスタは、ラック側板に設けられた設定溝に沿って移動可能に配設されており、その配設位置を変更することによって商品径に応じた商品搬出通路幅を設定できるようになっている。
【０００３】
このような出口アジャスタおよび商品収納ラックについて図示例に基づいて説明する。ここで、図２は、自動販売機を示す斜視図、図３は、商品収納ラックを示す斜視図、図４は、従来の出口アジャスタおよびセンサ取付金を示す斜視図、図５は、ラック固定金を示す斜視図、図６は、商品収納ラックをラック固定金を介して本体ケースに組み付ける様子を示す斜視図である。
【０００４】
これらの図に示すように、本体ケース１には、外扉２および内扉３が開閉自在に設けられており、サーペンタイン式の商品収納ラック４が複数列配設されている。商品収納ラック４の左右一対のラック側板４ａ，４ａ間には、蛇行状通路を形成するセグメント４ｂが多数設けられ、下端部には出口アジャスタ６が設けられている。設定溝４ｃは、出口アジャスタ６の両側部から突設した係止爪６ａを挿通して支持し、商品径に応じて支持位置を変化させることで通路幅を規制するようになっている。
【０００５】
ラック固定金５は、図２および図６に示すように、商品収納ラック４の下部を本体ケース１に固定するために本体ケース１側に設けられたものであり、本体ケース１側に固定された段付ねじ１１に溝５ａを係合させて配設されている。そして、ラック固定金５のねじ穴５ｂとラック固定金７のねじ穴７ｂにねじ１２をねじ込んで共締めすることで、商品収納ラック４が本体ケース１に固定されるようになっている。
【０００６】
ラック固定金７は、図５および図６に示すように、商品収納ラック４側に設けられており、ラック側板４ａ，４ａ間にカシメ部７ａをかしめることによって固定されている。このラック固定金７のカシメ部７ａは、筒状にカール加工した板金の端部に設けられている。品温センサ８は、庫内温度を検知するためのものであり、図４および図６に示すように、Ｌ字状のセンサ取付金９およびセンサ取付カバー１０によって出口アジャスタ６に固定されている。
【０００７】
センサ取付金９は、ダボ穴９ａを出口アジャスタ６のダボ６ｂに合わせて溶接されている。樹脂製のセンサ取付カバー１０は、弾性変形可能な係止爪１０ａを、センサ取付金９の係止突片９ａに設けた係止穴９ｃにはめ込むことにより、品温センサ８を保持するようになっている。
【０００８】
【発明が解決しようとする課題】
ところで、本願出願人は、特願２０００−１４０８５３号等において、商品搬出通路幅を出口アジャスタにより調節しなくても、形状や外径寸法の異なる商品を販売できる商品搬出装置を提供している。かかる商品搬出装置を上記商品収納ラック４に適用する場合、上記のような出口アジャスタ６は、たとえば角形のペットボトル商品の姿勢制御用に供されているので、出口アジャスタ６自体の配設位置を変更する必要はない。
【０００９】
一方、このような商品搬出装置を商品収納ラック４に適用する場合であっても、商品収納ラック４の奥行き寸法をできるだけ小さくするとともに、商品搬出通路幅を最大限確保し、販売可能な商品径範囲を拡大したいとの要請があり、また、従来の出口アジャスタ６や商品収納ラック４に最小限の改良を加えることで、製造コストを抑えたいとの要請もある。
【００１０】
しかしながら、従来の商品収納ラック４は、専用部品であるラック固定金７を備えており、このラック固定金７はカシメ部７ａをかしめることによってラック側板４ａ，４ａ間に配設されているので、この配設にはある程度の奥行きスペース（たとえば、８ｍｍ程度）が必要となり、商品収納ラック４の奥行き寸法を小さくしたいという要請の妨げになっていた。
【００１１】
また、ラック固定金７が専用部品であるため、部品点数の削減と組立性向上の観点からも、その改良が望まれていた。また、このラック固定金７は、出口アジャスタ６の近傍に配設されるものであるから、本願出願人は、この出口アジャスタ６自体にラック固定機能を付加できないかと着眼するに至った。
【００１２】
この発明は、上記に鑑みてなされたものであって、商品収納ラックの奥行き寸法を小さくできるとともに、商品収納ラックを本体ケースに容易に固定できる商品収納ラックの通路幅規制板を提供することを目的とする。
【００１３】
【課題を解決するための手段】
上述の目的を達成するために、この発明にかかる商品収納ラックの通路幅規制板は、商品収納ラックの商品搬出通路下端部に配設された商品搬出装置と対向して配置され、商品径に応じて前記商品搬出通路幅を規制する商品収納ラックの通路幅規制板において、庫内温度を検知するセンサ手段を固定するセンサ固定部と、自動販売機の本体ケース側に配設されたラック固定金に固定することにより前記商品収納ラックを当該本体ケースに固定するラック固定部とからなるセンサ／ラック固定金を備えたものである。
【００１４】
したがって、カシメによりラック側に設けていた専用のラック固定金が不要となり、商品収納ラックの奥行き寸法を小さくできるとともに、商品収納ラックを容易に本体ケースに固定できる。また、部品点数を削減できるとともに、組立性が向上する。
【００１５】
【発明の実施の形態】
以下、この発明にかかる商品収納ラックの通路幅規制板の実施の形態につき図面を参照しつつ詳細に説明する。なお、この実施の形態によりこの発明が限定されるものではない。
【００１６】
図１は、この発明の実施の形態にかかる出口アジャスタを示す斜視図である。なお、以下の説明において、すでに説明した部材と同一もしくは相当する部材には、同一の符号を付して重複説明を省略または簡略化する。
【００１７】
この発明に係る出口アジャスタ６は、図１に示すように、品温センサ８を固定するセンサ取付金にラックを固定する機能を付加して形成したセンサ／ラック固定金１５を備えたものである。このセンサ／ラック固定金１５は、センサ固定部１５Ａとラック固定部１５Ｂとが一体となるように板金を適宜折曲して形成されており、ダボ穴１５ａを出口アジャスタ６のダボ６ｂに合わせて溶接することにより、出口アジャスタ６と一体となっている。
【００１８】
係止突片１５ｂに設けた係止穴１５ｃは、センサ取付カバー１０の係止爪１０ａを係止するためのものである。ねじ穴１５ｄは、本体ケース１側に配設されたラック固定金５とねじ１２によって共締めするために設けたものである（図６参照）。
【００１９】
このようなセンサ／ラック固定金１５を備えたことにより、従来のラック固定金７の配設スペースとして、たとえば約８ｍｍ必要であったところ、約４ｍｍの配設スペースで済むようになり、商品収納ラック４の奥行き寸法を小さくできることが確認できた。
【００２０】
以上のように、この実施の形態にかかる出口アジャスタ６によれば、センサ／ラック固定金１５を備えたので、商品収納ラック４の奥行き寸法を小さくできるとともに、商品収納ラック４を容易に本体ケース１に固定できる。また、部品点数を削減できるとともに、組立性が向上する。
【００２１】
なお、上記実施の形態においては、図１に示した出口アジャスタ６にセンサ／ラック固定金１５を溶接するものとして説明したが、これに限定されず、その他の形状の出口アジャスタにこのセンサ／ラック固定金１５を適用してもよい。
【００２２】
また、センサ／ラック固定金１５を出口アジャスタ６にダボ合わせして溶接するものとして説明したが、これに限定されず、出口アジャスタ６の本体を板金加工（折曲および切り起こし）して当該センサ／ラック固定金１５を形成してもよい。
【００２３】
【発明の効果】
以上説明したように、この発明にかかる商品収納ラックの通路幅規制板によれば、商品収納ラックの商品搬出通路下端部に配設された商品搬出装置と対向して配置され、商品径に応じて前記商品搬出通路幅を規制する商品収納ラックの通路幅規制板において、庫内温度を検知するセンサ手段を固定するセンサ固定部と、自動販売機の本体ケース側に配設されたラック固定金に固定することにより前記商品収納ラックを当該本体ケースに固定するラック固定部とからなるセンサ／ラック固定金を備えたので、カシメによりラック側に設けていた専用のラック固定金が不要となり、商品収納ラックの奥行き寸法を小さくできるとともに、商品収納ラックを容易に本体ケースに固定できる。また、部品点数を削減できるとともに、組立性が向上する。
【図面の簡単な説明】
【図１】この発明の実施の形態にかかる出口アジャスタを示す斜視図である。
【図２】自動販売機を示す斜視図である。
【図３】商品収納ラックを示す斜視図である。
【図４】従来の出口アジャスタおよびセンサ取付金を示す斜視図である。
【図５】ラック固定金を示す斜視図である。
【図６】商品収納ラックをラック固定金を介して本体ケースに組み付ける様子を示す斜視図である。
【符号の説明】
１  本体ケース
２  外扉
３  内扉
４  商品収納ラック
４ａ  ラック側板
４ｂ  セグメント
４ｃ  設定溝
５  ラック固定金
５ａ  溝
５ｂ  ねじ穴
６  出口アジャスタ
６ａ  係止爪
６ｂ  ダボ
８  品温センサ
１０  センサ取付カバー
１０ａ  係止爪
１１  段付ねじ
１２  ねじ
１５  センサ／ラック固定金
１５Ａ  センサ固定部
１５ａ  ダボ穴
１５Ｂ  ラック固定部
１５ｂ  係止突片
１５ｃ  係止穴
１５ｄ  ねじ穴
【図１】
0004396041.tif 000002
【図２】
0004396041.tif 000003
【図３】
0004396041.tif 000004
【図４】
0004396041.tif 000005
【図５】
0004396041.tif 000006
【図６】
0004396041.tif 000007